(57)【要約】【課題】  ファクシミリ装置では、ワンタッチキーに宛先が登録できることや、使い易い操作性にて人為的ミスを低減に繋がる工夫はしてあるが、間違えて指定してしまった宛先について誤送信防止のために宛先を確認する操作フローを追加することは、誤送信防止機能の必要がないファクスオペレータに対しては操作性が損なわれる機能であり、ファクシミリ装置に機能として組み込み難いが、Ｗ−ＮＥＴファクス（Ｔ．３７）装置において、表示部に宛先を表示することで誤送信防止するファクシミリ装置をユーザに提供する。【解決手段】  システムバス４を介して操作部１を接続し、操作部１はシステム制御部３とのデータのやり取りを行い、操作部１の各種キー入力により入力されたデータをシステム制御部３に渡す制御を行う。また、システムバス４を介して画像メモリ部６を接続し、受信した複数の受信メッセージデータ、送信する複数の送信メッセージデータをファイルとして蓄積する。【選択図】  図１
2006157173.tif 000002
【特許請求の範囲】
【請求項１】
ＬＡＮに接続するためのインターフェースと、一般公衆網に接続するためのインターフェースを備え、Ｗ−ＮＥＴファクス（Ｔ.３７）装置との通信を制御するＴ.３７通信制御手段と、
Ｇ３ファクスとの通信を制御するＧ３通信制御手段と、
前記Ｗ−ＮＥＴファクス（Ｔ.３７）装置より送られてくる電子メールの添付ファイルであるイメージ情報（ＴＩＦＦ−ＦＸ）を一時蓄積する蓄積手段と、
電子メールヘッダのＴｏフィールドの情報（数字）を、ファクス番号と解釈し前記一般公衆網を介して前記Ｇ３ファクスと通信する通信手段と、
前記Ｔｏフィールドの情報（数字）を表示する表示手段と、
前記Ｇ３ファクスに送信して良いか否かを選択する選択手段と、
前記表示手段に前期Ｔｏフィールド情報（数字）を表示することで、ファクスオペレータに、宛先の確認を促し、前記選択手段により送信して良いか否かの選択を行わせ、誤送信を防ぐ誤送信防止手段とを有することを特徴とするネットワークファクスアダプタ装置。
【請求項２】
タイマ機能を備え、前記Ｇ３ファクス送信して良いか否かの選択が行われるまでの時間を監視する時間監視手段と、
前記表示部に前記Ｔｏフィールドの情報（数字）を表示することで、ファクスオペレータに宛先の確認を促し、送信して良いか否かの選択を行わせ、一定時間選択が行われない場合には、予め設定した条件処理を行う条件処理手段とを有することを特徴とする請求項１記載のネットワークファクスアダプタ装置。
【請求項３】
予めファクス宛先情報を登録するファクス宛先登録手段と、
宛先登録された登録ファクス番号と指示されたファクス番号を比較する比較手段と、
前記Ｔｏフィールド情報（数字）であるファクス番号と予め登録してある番号とを比較し、一致する場合にはそのままファクス送信し、一致しない場合にはファクス送信しない送信手段とを有することを特徴とする請求項１記載のネットワークファクスアダプタ装置。
【請求項４】
前記Ｔｏフィールドの情報（数字）である前記ファクス番号と前記予め登録してあるファクス番号とを比較し、一致する場合にはそのままファクス送信し、一致しない場合には、前記表示手段はＴｏフィールドのファクス番号を表示し、前記選択手段はファクスオペレータに宛先の確認を促し、送信して良いか否かの選択を行わせ、前記表示手段および前記選択手段により誤送信を防ぐ誤送信防止手段とを有することを特徴とする請求項１または３記載のネットワークファクスアダプタ装置。
【請求項５】
前記選択手段により、一定時間選択が行われない場合には、前記条件処理を実行することを特徴とした請求項２または４記載のネットワークファクスアダプタ装置。
【発明の詳細な説明】
【技術分野】
【０００１】
本発明は、ネットワーク対応ファクシミリ（Ｔ．３７）に対応したネットワークファクスアダプタ装置に関する。
【背景技術】
【０００２】
近年のファクシミリ装置は、アナログ交換網（ＰＳＴＮ）やデジタル交換網（ＩＳＤＮ）のインターフェースを持ち、ファクス通信を行う他にＬＡＮのインターフェースを持ちネットワークに接続することができ、プリンタやスキャナとして活用できる他、ファクスとしても、ＬＡＮのインターフェースを用いてインターネット環境・イントラネット環境に対応したＷ−ＮＥＴファクス（Ｔ．３７）機能を持つものや、メールサーバを必要とせず直接相手ファクス（ＩＰファクス）とイントラネット環境にて通信するＩＰファクスファクシミリ装置は、近年のネットワーク環境の変化やＰＣの普及によって使われる頻度が少なくなってきてはいるが、イメージ情報を簡単に送ることができるものとして、ファクシミリ装置そのものはなくならず、使用する分野（業種や職種など）においてはファクシミリ装置は従来通りの頻度で使われている。
【０００３】
一方、最近のセキュリティに関する意識の高まりから、従来のファクスにおいて、間違った宛先に送信しないような機能が求められている。
【０００４】
従来、ファクス通信（Ｇ３プロトコル）を行う際に、イメージ情報を読み取り、イメージ情報に記載されているファクス番号を用い誤送信防止機能を行うものがある。
【０００５】
操作部上の入力キーにより入力された電話番号と、文字認識機能によって認識された原稿上の電話番号とを比較し、この比較の結果、入力キーにより入力された電話番号と文字認識機能によって認識された原稿上の電話番号とが違っていた場合には、ファクシミリ送信を中断し、また、入力間違いを表示する（例えば、特許文献１参照）。
【０００６】
その他に、宛先の間違いは、確認を怠ることや、ワンタッチ等に登録した宛先が古いものであったりと、人為的ミスによるものが多い。
【０００７】
ファクス通信中に、表示部に受信側ファクシミリ装置から送られてくる端末情報を表示して、ファクスオペレータに確認させ、ファクスオペレータが適切な宛先であると判断した場合に限り、送信動作を継続するので誤送信を防止するものがある（例えば、特許文献２参照）。
【０００８】
また、ワンタッチキーにファクス番号を登録する際に、登録するファクス番号に対して、入力された番号の相手先から発呼してファクス通信を行い、受信側ファクシミリ装置から送られてくる端末情報を利用して、ワンタッチキー登録時のファクス番号登録ミスを防止することで誤送信を防止するものがある（例えば、特許文献３参照）。
【特許文献１】特開平０９−０５５８４０号公報
【特許文献２】特開２０００−３０７８３９号公報
【特許文献３】特開２００２−０１６７７４号公報
【発明の開示】
【発明が解決しようとする課題】
【０００９】
ファクシミリ装置では、ワンタッチキーに宛先が登録できることや、使い易い操作性にて人為的ミスを低減させる工夫はしてあるが、誤送信防止のために宛先を確認する機能を追加することは、誤送信防止機能の必要がないファクスオペレータに対しては操作性が損なわれるといった相反する機能であり、ニーズはあるもののファクシミリ装置に機能として組み込み難いといった欠点がある。
【００１０】
本発明は、Ｗ−ＮＥＴファクス（Ｔ．３７）装置において、表示部に宛先を表示することで誤送信防止することを目的とする。
【課題を解決するための手段】
【００１１】
請求項１にかかる発明は、ＬＡＮに接続するためのインターフェースと、一般公衆網に接続するためのインターフェースを備え、Ｗ−ＮＥＴファクス（Ｔ.３７）装置との通信を制御するＴ.３７通信制御手段と、Ｇ３ファクスとの通信を制御するＧ３通信制御手段と、前記Ｗ−ＮＥＴファクス（Ｔ.３７）装置より送られてくる電子メールの添付ファイルであるイメージ情報（ＴＩＦＦ−ＦＸ）を一時蓄積する蓄積手段と、電子メールヘッダのＴｏフィールドの情報（数字）を、ファクス番号と解釈し前記一般公衆網を介して前記Ｇ３ファクスと通信する通信手段と、前記Ｔｏフィールドの情報（数字）を表示する表示手段と、前記Ｇ３ファクスに送信して良いか否かを選択する選択手段と、前記表示手段に前期Ｔｏフィールド情報（数字）を表示することで、ファクスオペレータに、宛先の確認を促し、前記選択手段により送信して良いか否かの選択を行わせ、誤送信を防ぐ誤送信防止手段とを有することを特徴とする。
【００１２】
請求項２にかかる発明は、タイマ機能を備え、前記Ｇ３ファクス送信して良いか否かの選択が行われるまでの時間を監視する時間監視手段と、前記表示部に前記Ｔｏフィールドの情報（数字）を表示することで、ファクスオペレータに宛先の確認を促し、送信して良いか否かの選択を行わせ、一定時間選択が行われない場合には、予め設定した条件処理を行う条件処理手段とを有することを特徴とする。
【００１３】
請求項３にかかる発明は、予めファクス宛先情報を登録するファクス宛先登録手段と、宛先登録された登録ファクス番号と指示されたファクス番号を比較する比較手段と、前記Ｔｏフィールド情報（数字）であるファクス番号と予め登録してある番号とを比較し、一致する場合にはそのままファクス送信し、一致しない場合にはファクス送信しない送信手段とを有することを特徴とする。
【００１４】
請求項４にかかる発明は、前記Ｔｏフィールドの情報（数字）である前記ファクス番号と前記予め登録してあるファクス番号とを比較し、一致する場合にはそのままファクス送信し、一致しない場合には、前記表示手段はＴｏフィールドのファクス番号を表示し、前記選択手段はファクスオペレータに宛先の確認を促し、送信して良いか否かの選択を行わせ、前記表示手段および前記選択手段により誤送信を防ぐ誤送信防止手段とを有することを特徴とする。
【００１５】
請求項５にかかる発明は、前記選択手段により、一定時間選択が行われない場合には、前記条件処理を実行することを特徴とする。
【発明の効果】
【００１６】
Ｗ−ＮＥＴファクス（Ｔ．３７）装置にて、Ｔｏフィールドのファクス番号を、表示部に表示することで宛先の確認ができ、宛先の確認がされない場合には送信を行わないといった誤送信防止が可能となる。
【００１７】
また、誤送信防止の仕組みをファクシミリ装置に組み込むことなく、既存のＷ−ＮＥＴファクス装置との組み合わせにて実現できる。
【発明を実施するための最良の形態】
【００１８】
次に、本発明の実施形態について図面を参照して説明する。
【００１９】
図１には、本発明の実施形態のファクシミリ装置ブロック図が示されている。
【００２０】
本装置のシステム構成は、操作部１と、表示・通知部２と、システム制御部３と、システムバス４と、通信制御部５と、画像メモリ６と、ＮＩＣ部７と、ＮＣＵ部８と、画像処理部９とから構成される。
【００２１】
次に、図１の各ブロックの説明を示す。
【００２２】
操作部１は、システムバス４を介してシステム制御部３とのデータのやり取りを行い、操作部１の各種キー入力により入力されたデータをシステム制御部３に渡す制御を行う。
【００２３】
本実施形態のネットワークファクスアダプタ装置では、シンプルな機能であることから、操作部１のキーは少なくすることが望ましいが、各種設定を効率的に実施するために、別途ＰＣシリアルインターフェースに対応した外付けキーなどを接続することも可能とする。
【００２４】
表示・通知部２は、システム制御部３より指示を受け、ＬＥＤの点灯やＬＣＤ表示などの表示装置への表示や、ブザーなどの鳴動を行う。
【００２５】
システム制御部３は、ＣＰＵ（Central Processing Unit）、ＲＯＭ（Read Only Memory）およびＲＡＭ（Random Access Memory）等を有し、ＲＯＭ内にはファクシミリ装置としての基本プログラムや本実施形態のプログラムが格納されている。プログラムが膨大になる場合には、ＲＯＭのほかに磁気ディスク装置などを搭載しそこにプログラムを格納することも可能であり、後に説明する画像メモリ部６として磁気ディスク装置を用いる場合には共通化することも可能である。システム制御部３はＲＯＭ内のプログラムに従ってファクシミリ各部を制御し、本実施形態の機能を実行する。また通信制御部５、ＮＩＣ部７の制御を行う。また、時計機能、画像メモリに蓄積するメッセージデータを管理するファイル管理機能を持つ。
【００２６】
ＲＯＭにおいてはキャラクタ情報を格納する領域を持ち、前記ＲＯＭと同一のＲＯＭにて構成することも可能である。また、ＲＡＭにおいては、バッテリーバックアップすることにより情報を保持することも可能である。
【００２７】
システムバス４は、システムを結ぶバスである。
【００２８】
通信制御部５は、ＮＣＵ（Network Control Unit）部８を制御し、加入電話回線／自営構内回線の網と接続し、相手側通信端末との通信の制御を行う。また、通信制御部５は、モデムを有しており、相手側通信端末より受信したデータ（変調されている）を復調したり、逆に、送信時の送信データを変調し送信したりする。
【００２９】
また、ＮＣＵ部８にて検出されたリンギング電圧のパルスの検出や、トーン信号、ＤＴＭＦ信号の検出、送信時のダイヤルとしてＤＴＭＦ（Dial Tone Multi Frequency）送出などを行う。
【００３０】
画像メモリ部６としては、たとえば磁気ディスク装置が利用され、画像メモリとしては受信した複数の受信メッセージデータ、送信する複数の送信メッセージデータをファイルとして蓄積する。画像メモリとしては、磁気ディスクに限定されるものではなく、基盤に実装されるＳＲＡＭ（Static Random Access Memory）モジュールや、カードスロットに挿入されるメモリカードなどが挙げられる。
【００３１】
ＮＩＣ（Network  Interface  Card）部７としては、インターネット／ＬＡＮ（Local Area Network）に接続しＴＣＰ／ＩＰ通信するためのＬＡＮコントローラを有し、相手端末とＴＣＰ／ＩＰを用いた通信の制御を行う。
【００３２】
ＮＣＵ部８は、加入電話回線／自営構内回線の網と接続し、回線の閉結や、呼び出し信号（リンギング）、トーン信号、ＤＴＭＦ信号の検出を行う。
【００３３】
画像処理部９は、符号化された生データの圧縮、及び圧縮されたデータの伸張、及び変倍処理や生データにてデータの加工を行う。また、ＴＴＩの埋め込みなどを行う。
【００３４】
次に、図２には本実施形態の装置外観図である表示部と操作部が示されている。
【００３５】
本実施形態のネットワークファクスアダプタ装置１１は、回線インターフェースとして、ＬＡＮ１２とアナログ交換網１３に接続するインターフェースを持つ。
【００３６】
また、操作・表示部２もシンプルで誤送信防止機能に特化した作りとし、直感的に使い易い操作性を実現することが可能である。
【００３７】
さらに、小型化が可能であり、接続するＷ−ＮＥＴファクス装置１０のすぐ隣に置くことなども可能で、デザイン等の工夫により、Ｗ−ＮＥＴファクス装置１０と一体感を持たせ、さらに直感的に使い易い操作性を実現することが可能である。
【００３８】
次に、図３には本実施形態の外観装置図である装置全体図が示されている。
【００３９】
本実施形態のネットワークファクスアダプタ装置１１は、Ｗ−ＮＥＴファクス装置１０とＬＡＮ１２を経由して接続する。ＬＡＮ１２は、ハブなどを介して接続することや、クロスケーブルなどで直接接続することも可能である。
【００４０】
現実的には、ハブを介した接続が望ましく、本実施形態のネットワークファクスアダプタ装置１１への各種設定は、ＬＡＮ１２を介したＰＣにてＷＥＢブラウザ等を用いて実現する。
【００４１】
また、ＬＡＮ１２上には、メールサーバが接続していても良く、メールサーバを介した通信も可能である。
【００４２】
次に、図５にはネットワークファクスアダプタ装置の第１の実施形態のフローが示されている。
【００４３】
まず、Ｗ−ＮＥＴファクス装置からの電子メールをＳＭＴＰ（Simple Mail Transfer Protocol）受信したか否かを判断する（ステップＳ５０１）。受信されていない場合（ステップＳ５０１／Ｎｏ）、この動作が繰り返される。
【００４４】
電子メールを受信した場合（ステップＳ５０１／Ｙｅｓ）、添付イメージを画像メモリ６に蓄積される（ステップＳ５０２）。これらのメールヘッダ情報やイメージデータは、システム制御部３にて関連付けられてＲＡＭ等に管理情報が記録される。
【００４５】
次に、受信した電子メールのＴｏヘッダの情報を抽出し、前記Ｔｏヘッダ情報が、ファクス番号として有効か否かを判断する（ステップＳ５０３）。
【００４６】
抽出したＴｏヘッダの情報がファクス番号として有効な場合（ステップＳ５０３／Ｙｅｓ）、宛先情報の確認を表示する（ステップＳ５０４）。
【００４７】
次に、宛先確認の動作が一定時間行われるか否かを判断し（ステップＳ５０５）、操作が行われた場合（ステップＳ５０５／Ｙｅｓ）、宛先確認として肯定（ＯＫ）か否定（ＮＧ）かを判断する（ステップＳ５０６）。
【００４８】
肯定（ＯＫ）の場合（ステップＳ５０６／Ｙｅｓ）、画像メモリ６に蓄積した電子メール添付のイメージデータをファクス送信し（ステップＳ５０７）、送信が行われた後は初期画面に戻る（ステップＳ５０８）。このとき、既にファクス通信中の場合には、ファクス通信待ちとして管理され、既に行われているファクス通信終了後、ファクス待ちの順にファクス送信を行う。
【００４９】
ここで、ステップＳ５０３に戻って、前記Ｔｏヘッダ情報がファクス番号として無効の場合（ステップＳ５０３／Ｎｏ）、無効ヘッダのメッセージを表示し（ステップＳ５１１）、電子メールイメージデータを削除し（ステップＳ５１２）、初期画面に戻る（ステップＳ５０８）。
【００５０】
次に、ステップＳ５０５に戻って、宛先確認操作がなかった場合（ステップＳ５０５／Ｎｏ）、一定時間操作が行われたか否かを判断する（ステップＳ５１０）。
【００５１】
一定時間が経過し、操作が行われなかった場合（ステップＳ５１０／Ｙｅｓ）、初期画面に戻る（ステップＳ５０８）。時間内に操作が行われた場合（ステップＳ５１０／Ｎｏ）、再び宛先確認の操作判断に戻る（ステップＳ５０５）。
【００５２】
次に、ステップＳ５０６に戻り、宛先確認として否定（ＮＧ）操作が行われた場合（ステップＳ５０６／Ｎｏ）、画像メモリ６に蓄積された電子メールイメージデータを削除し（ステップＳ５０９）、かつ、システム制御部３の管理情報を破棄したものとして更新する。否定操作（ＮＧ）が行われた後は、初期画面に戻り（５０８）終了となる。
【００５３】
次に、図６にはネットワークファクスアダプタ装置の第２の実施形態のフローが示されている。
【００５４】
但し、請求項２の実施例の内、請求項１の実施例に解説しているフローは記載せず、異なるフローについて解説する。
【００５５】
予め本実施形態のネットワークファクスアダプタ装置は、一定時間操作が行われなかった場合の処理として、蓄積画像情報を送信する（肯定操作（ＯＫ）されているものとする）／蓄積画像情報を削除する（否定操作（ＮＧ）されたものとする）といった設定を行うことができる。
【００５６】
ステップＳ６１０にて、一定時間内に操作部１にて操作が行われなかった場合（ステップＳ６１０／Ｙｅｓ）、予め設定された処理が操作部１で処理される（ステップＳ６１３）。
【００５７】
次に、ステップＳ６１３で、予め設定された処理が、画像蓄積情報を送信する設定であった場合には、肯定操作（ＯＫ）が行われたと判断し（ステップＳ６０６／Ｙｅｓ）、画像メモリ６に蓄積した電子メールの添付のイメージデータを、ファクス番号に対してファクス送信を行う（ステップＳ６０７）。
【００５８】
この時、既にファクス通信中の場合には、ファクス通信待ちとして管理され、既に行われているファクス通信終了後、ファクス通信待ちの順にファクス送信を行う（ステップＳ６０７）。また、ファクス通信の開始・待機に拠らず、操作部１にて想定操作（ＯＫ）が行われた場合には、表示・通知部２は初期画面に戻る（ステップＳ６０８）。
【００５９】
次に、ステップＳ６０６に戻って、予め設定された処理が、画像蓄積情報を送信しない設定であった場合には、否定操作（ＮＧ）が行われたと判断し（ステップＳ６０６／Ｎｏ）、画像メモリ６に蓄積した電子メール添付のイメージデータを破棄し、かつ、システム制御部３の管理情報を破棄したものとして更新する（ステップＳ６０９）。また、操作部１にて否定操作（ＮＧ）が行われた後は、表示・通知部２は初期画面に戻る（ステップＳ６０８）。
【００６０】
次に、図７にはネットワークファクスアダプタ装置の第３の実施形態のフローが示されている。
【００６１】
予め本実施形態のネットワークファクスアダプタ装置は、ファクス送信を許可するファクス宛先の情報を設定することができる。
【００６２】
まず、Ｗ−ＮＥＴファクス装置からの電子メールをＳＭＴＰ受信する（ステップＳ７０１）。ＳＭＴＰ受信の際、プロトコル上の不正がある場合や、添付するイメージデータを解析にて、本発明のネットワークファクスアダプタ装置に対してないものや、不正がある場合には、ＳＭＴＰ受信そのものの中断処理を行う。
【００６３】
次に、受信した電子メールの添付イメージデータを画像メモリ６に蓄積する（ステップＳ７０２）。
【００６４】
次に、抽出した電子メールのＴｏヘッダ情報を抽出し、抽出しＴｏヘッダの情報が、ファクス番号として有効か否かを判断する（ステップＳ７０３）。
【００６５】
抽出したＴｏヘッダの情報が、ファクス番号として有効な場合（ステップＳ７０３／Ｙｅｓ）、予め登録されたファクス宛先との比較を行い（ステップＳ７０４）、予め登録されていたものであった場合には（ステップＳ７０４／Ｙｅｓ）、登録済みのメッセージを表示・通知部２に表示し（ステップＳ７０５）、画像メモリ６に蓄積した電子メール添付のイメージデータを予め登録されているファクス番号として確認ができたファクス番号に対して、ファクス送信を行う（ステップＳ７０６）。
【００６６】
この時、既にファクス通信中の場合には、ファクス待ちとして管理され、既に行われているファクス通信終了後、ファクス通信待ちの順にファクス送信を行う。
【００６７】
また、ファクス通信の開始・待機に拠らず、表示・通知部２は初期画面に戻る（ステップＳ７０７）。
【００６８】
次に、ステップＳ７０４に戻り、予め登録されたものでなかった場合には（ステップＳ７０４／Ｎｏ）、未登録のメッセージを表示・通知部２に表示し（ステップＳ７１１）、画像メモリ６に蓄積した電子メール添付のイメージデータを破棄し、かつ、システム制御部３の管理情報を破棄したものとして更新する（ステップＳ７０８）。
【００６９】
また、操作部１にて否定操作（ＮＧ）が行われた後は、表示通知は初期画面に戻る（ステップＳ７０７）。
【００７０】
次に、ステップＳ７０３に戻り、抽出したＴｏヘッダの情報が、ファクス番号として無効な場合（ステップＳ７０３／Ｎｏ）、表示・通知部２に無効ヘッダのメッセージを表示し（ステップＳ７０９）、画像メモリ６に蓄積した電子メール添付のイメージデータを破棄し、かつ、システム制御部３の管理情報を破棄したものとして更新する（ステップＳ７１０）。
【００７１】
これらの処理を行った後、表示・通知部２は初期画面に戻る（ステップＳ７０７）。
【００７２】
次に、図８にはネットワークファクスアダプタ装置の第４の実施形態のフローが示されている。
【００７３】
但し、第４の実施形態の内、第３の実施形態にて解説しているフローについては記載せず、異なるフローについて解説する。
【００７４】
抽出したＴｏヘッダの情報が、ファクス番号として有効な場合、予め登録されたファクス宛先との比較を行い（ステップＳ８０４）、予め登録されたものであった場合は（ステップＳ８０４／Ｙｅｓ）、請求項３と同じ処理を行う（ステップＳ８０５、ステップＳ８０６、ステップＳ８０７）。
【００７５】
予め登録されたものでなかった場合は（ステップＳ８０４／Ｎｏ）、表示・通知部２にファクス番号と共に、宛先情報確認表示をする（ステップＳ８１１）。
【００７６】
ここで、宛先確認の操作が、操作部１にて行われるか否かの判別を一定時間行う（ステップＳ８１２）。
【００７７】
操作部１にて、宛先確認として操作が行われた場合（ステップＳ８１２／Ｙｅｓ）、肯定操作（ＯＫ）が行われたとき（ステップＳ７１３／Ｙｅｓ）、画像メモリ６に蓄積した電子メール添付のイメージデータを、確認ができたファクス番号に対してファクス送信を行う（ステップ８０６）。
【００７８】
この時、既にファクス通信中の場合には、ファクス通信待ちとして管理され、既に行われているファクス通信終了後、ファクス通信待ちの順にファクス送信を行う。
【００７９】
また、ファクス通信の開始・待機に拠らず、操作部１にて肯定操作（ＯＫ）が行われた後は、表示・通知部２は初期画面に戻る（ステップＳ８０７）。
【００８０】
次に、ステップＳ８１３に戻って、操作部１にて宛先確認として操作が行われ、否定操作（ＮＧ）が行われたとき（ステップＳ８１３／Ｎｏ）、画像メモリ６に蓄積した電子メール添付のイメージデータを破棄し、かつ、システム制御部３の管理情報を破棄したものとして更新する（ステップＳ８０８）。
【００８１】
また、操作部１にて否定操作（ＮＧ）が行われた後は、表示・通知部２は初期画面に戻る（ステップＳ８０７）。
【００８２】
次に、ステップＳ８１２に戻って、操作部１にて宛先確認操作がなかった場合（ステップＳ８１２／Ｎｏ）、一定時間が経過したか否かを判断する（ステップＳ８１４）。
【００８３】
ここで、一定時間が経過した場合（ステップＳ８１４／Ｙｅｓ）、表示・通知部２は、初期画面に戻ることで（ステップＳ８０７）、次のＷ−ＮＥＴファクス装置からの電子メールに対して同様の宛先確認機能が実現できる。
【００８４】
このときの、表示・通知部２の初期画面には、宛先未確認メッセージが表示され、操作部１の操作にて、再度その宛先確認の画面に表示・通知部２が切り替わり、宛先確認処理を行うことができる。
【００８５】
次に、図９にはネットワークファクスアダプタ装置の第５の実施形態のフローが示されている。
【００８６】
但し、第５の実施形態の内、第４の実施形態にて解説しているフローについては記載せず、異なるフローについて解説する。
【００８７】
予め本実施形態のネットワークファクスアダプタ装置は、第４の実施形態（第３の実施形態にて記載）の設定の他、一定時間操作が行われなかった場合の処理として、画像蓄積情報を送信する（肯定操作（ＯＫ）されたものとする）／蓄積画像情報を削除する（否定操作（ＮＧ）されたものとする）といった設定を予め行うことができる。
【００８８】
宛先確認の操作が、操作部１にて肯定操作（ＯＫ）も否定操作（ＮＧ）も一定時間行われなかった場合（ステップＳ９１４／Ｙｅｓ）、予め設定された処理を操作部１にて内部処理する（ステップＳ９１５）。
【００８９】
次に、予め設定された処理が肯定（ＯＫ）であるか否定（ＮＧ）であるかを判断する（ステップＳ９１３）。
【００９０】
ここで、予め設定された処理が、画像蓄積情報を送信する設定であった場合には、肯定操作（ＯＫ）が行われたと判断し（ステップＳ９１３／Ｙｅｓ）、画像メモリ６に蓄積した電子メール添付のイメージデータをファクス番号に対してファクス送信を行う（ステップＳ９０６）。
【００９１】
この時、既にファクス通信中の場合には、ファクス通信待ちとして管理され、既に行われているファクス通信終了後、ファクス通信待ちの順にファクス送信を行う。
【００９２】
また、ファクス通信の開始・待機の拠らず、操作部１にて肯定操作（ＯＫ）が行われた後は、表示・通知部２は初期画面に戻る（ステップＳ９０７）。
【００９３】
次に、ステップＳ９１３に戻り、予め設定された処理が、画像情報を送信しない設定であった場合には、否定操作（ＮＧ）が行われたと判断し（ステップＳ９１３／Ｎｏ）、画像メモリ６に蓄積した電子メール添付のイメージデータを破棄し、かつ、システム制御部３の管理情報を破棄したものとして更新する（ステップＳ９０８）。
【００９４】
また、操作部１にて否定操作（ＮＧ）が行われた後は、表示・通知部２は初期画面に戻る（ステップＳ９０７）。
【図面の簡単な説明】
【００９５】
【図１】本発明の一実施形態のシステム構成図である。
【図２】本発明の一実施形態の装置外観図の表示部と操作部である。
【図３】本発明の一実施形態の装置全体図である。
【図４】本発明の一実施形態の装置の接続形態図である。
【図５】本発明の第１の実施形態のフローを示すフローチャートである。
【図６】本発明の第２の実施形態のフローを示すフローチャートである。
【図７】本発明の第３の実施形態のフローを示すフローチャートである。
【図８】本発明の第４の実施形態のフローを示すフローチャートである。
【図９】本発明の第５の実施形態のフローを示すフローチャートである。
【符号の説明】
【００９６】
１    操作部
２    表示・通知部
３    システム制御部
４    システムバス
５    通信制御部
６    画像メモリ
７    ＮＩＣ部
８    ＮＣＵ部
９    画像処理部
１０    Ｗ−ＮＥＴファクス装置
１１    ネットワークファクスアダプタ装置
１２    ＬＡＮ
１３    アナログ交換網
１４    Ｇ３ファクス装置
【図１】
2006157173.tif 000003
【図２】
2006157173.tif 000004
【図３】
2006157173.tif 000005
【図４】
2006157173.tif 000006
【図５】
2006157173.tif 000007
【図６】
2006157173.tif 000008
【図７】
2006157173.tif 000009
【図８】
2006157173.tif 000010
【図９】
2006157173.tif 000011